(57)【要約】【課題】  従来のような遊具では、大きな変化がなく、マンネリズムの傾向にあり、運動への魅力や期待度の希薄、運動形態に対応する運動能力や運動感覚などのスキルアップやモチベーションの停滞、又、チャレンジ的要素や満足度の低下に対する遊具へのニーズが生じ、運動要素の不足が現状である。本発明は、これらの不都合を解決すること。【解決手段】  多様な形状、大きさの立体、普遍的な立体で、単数のもの、複数のものと、特殊的な立体の単数のみにおいて、個々の立体を利用して、各立体の内部、内下部、或いは、外部とする内外部に単数、又は、複数の遊具を有し、全天候で雨天時でも、内部、外部の遊具が使用を可能とし、内部と外部では、異種類の遊具を活用し、立体の内外部を介して、遊具の創出を促すもので、立体の外部では、三通りの遊具の配置があり、立体を平地上、高い位置に設けることにより、この課題を解決する。【選択図】図２
2020171651.tif 000002
【特許請求の範囲】
【請求項１】
多様な形状、大きさの立体が単数、もしくは、複数のものを利用して、各立体の内部、内下部、或いは、外部とする内外部に単数、又は、複数の遊具を有し、立体の出入口は部分的、全面的、一連的、断続的で単数、或いは、複数にし、又、立体によっては、上部、側面に採光部を設け、普遍的であるとする立体は、単数のもの、又は、複数のものを、構成にするものであり、単数のものは、各単数の各内外部に、少なくとも一つを含む遊具の保有をし、複数のものは、各複数の各内外部に、少なくとも一つを含む遊具の保有をし、且つ、各複数間での、各遊具との連携を保持するようにし、一方、特殊的の構成とする、立体の単数のみは、立体の内部、内下部、或いは、外部に単数、又は、複数の遊具を有し、全天候で雨天時でも、内部、内下部で全面的に遊具の使用が可能、又は、外部も遊具の配置範囲に応じて、網羅する、適宜に部分的、全面的の使用を可能とするものであり、尚、全体的における、いずれもの立体の内部の中は、遊具に関するものがある以外、空間の状態であり、並びに、普遍的とする立体の単数、複数、或いは、特殊的とする立体の単数、全てに対して、個々の同一立体での内部、内下部と外部では、異種類の遊具を配置、活用し、立体の内外部を介して、内部、内下部、又は、外部に、単数、もしくは、複数とする、自由自在な遊具の創出を促すことによって、遊具を多種多様に設け、及び、個々の立体の外部では、外部へ直接的に接する場合の遊具、外部に接しない、間接的な場合の遊具、又は、直接的、間接的のどちらも併有した、三通りとする、外部を介して遊具の配置があり、個々の立体の内外部である内部、内下部、又は、外部に、少なくとも一つを含む遊具の保有をし、立体の底面は設ける、又は、設けないものにして、立体の底面部の位置は平地上、又は、平地上より、高い５ｃｍ〜４００ｃｍの範囲で流動的に設置し、高い位置にした場合の立体の底面部、又は、立体の底面を設けない場合の平地上の、どちらもが内下部とするものであり、高い位置への立体は、基礎土台の各形状を用いて設けるようにする、要するに、各立体構造、普遍的の単数のもの、又は、複数のもの、又は、特殊的の単数のみでの、個々の立体の内外部とする、内部、内下部、或いは、外部に単数、又は、複数の遊具を設けることを特徴とする立体内外遊具。
【発明の詳細な説明】
【技術分野】
【０００１】  本発明は、立体の内部、外部での遊具によって、運動に関するものであり、多種な立体の形状、大きさ、構造に対応して、運動能力、運動機能に工夫を加えることによって、各種の運動形態を創出して、多様な運動観点や運動感覚について体感し、運動本質、及び、身体能力の幅を広く、向上するものである。
【背景技術】
【０００２】  従来、個々の遊具は、それぞれの遊具として一定で固定した概念、遊具の活用、遊具体勢に変化がない遊具として利用しているのが現状であり、個々の遊具を別な運動遊びを各種の運動形態、運動能力や運動感覚として、多角的な運動連携の多様な立体を利用して、効果的に取り入れることは皆無であった。
【発明の開示】
【発明が解決しようとする課題】
【０００３】  しかし、従来のような遊具では、形状、構造、機能などに大きな変化がなく、マンネリズムの傾向にあり、プレーヤーの運動への魅力や期待度の希薄、運動形態に対応する運動能力や運動感覚などのスキルアップやモチベーションの停滞、又、プレーヤーのチャレンジ的要素や満足度の低下に対する遊具へのニーズが生じているのが現状である。又、雨天時の屋外、野外での遊具を使用するのは、無理がある。本発明は、これらの不都合を解決することを課題とする。
【課題を解決するための手段】
【０００４】  この課題を解決するための請求項１の発明は、多様な形状、大きさの立体が単数、もしくは、複数のものを利用して、各立体の内部、内下部、或いは、外部とする内外部に単数、又は、複数の遊具を有するものである。立体の出入口は部分的、全面的、一連的、断続的で単数、或いは、複数で設ける。又、立体によっては、上部、上面、側面に採光部と同時に、立体の内部を覗き見ができる領域部、側面には通風口を配置することも可能である。普遍的であるとする立体は、単数のもの、又は、複数のものを、構成にするものであり、単数のものは、各単数の各内外部に、少なくとも一つを含む遊具の保有をし、複数のものは、各複数の各内外部に、少なくとも一つを含む遊具の保有をして、且つ、各複数間での、各遊具との連携を保持するようにしたものを有している。
一方、特殊的の構成であるとする、立体の単数のみについては、立体の内部、内下部、或いは、外部に単数、又は、複数の遊具を有し、全天候で雨天時でも、内部、内下部において、全面的に単独での独自の遊具の使用が可能、又は、外部も遊具の配置範囲に応じて、網羅する、適宜に部分的、全面的の使用を可能とするものである。よって、特殊的とする単数の全天候は、雨天時でも内外部の全遊具の使用を可能とするものである。及び、日よけとしても、効果的な活用性をするものである。
全周囲には、嵩上げ部と水捌け部を、同時に設け、内部への雨水の侵入防止ができるようにする。
雨天時の屋外、野外での大型遊具を使用することも可能である。
因みに、全体的である多様な立体としては、全体が規則的、又は不規則的で三次元構造の楕円体、回転楕円体、球体、柱体、円柱、斜円柱（斜円柱のペンネ）、円錐、双円錐、錐台、円錐台、角錐台、立方体、トーラス体、曲面、放物面、双曲面、多面体などの立体全般的に用いることができるものである。
前記の、定形立体を適当な形にした、変形立体の自由な発想で活用することも可能である。
並びに、全体的における、いずれもの立体の内部の中は、遊具に関係、関連するものがある以外、空間の状態である。並びに、普遍的とする立体の単数、複数、或いは、特殊的とする立体の単数、全てに対して、個々の同一立体での内部、内下部と外部では、異種類の遊具を配置、活用し、立体の内外部を介して、内部、内下部、又は、外部に、単数、もしくは、複数とする、自由自在な遊具の創出を促すことによって、合理的で効果的な、遊具が多種多様に作り出されるようにするものである。すると、有用を可能とする好循環が生起するものである。
及び、個々の立体の外部では、外部へ直接的に接する場合の遊具、外部に接しない、間接的な場合の遊具、又は、直接的、間接的のどちらも併有した、三通りのものが存在する。外部を介して遊具の配置があり、個々の立体の内外部である内部、内下部、又は、外部に、少なくとも一つを含む遊具の保有をする。
ところで、立体の底面は設ける、又は、設けないものにして、立体の底面部の位置は平地上に水平、又は、平地上に水平で平地上より、高い位置である５ｃｍ〜４００ｃｍの範囲で流動的に設置する。５ｃｍ〜４００ｃｍの範囲にしているが、安全性の保障が確保できれば、この限りではない。又、高い位置に設置する場合の立体は、基礎土台の各形状などの支え材料を用いて、高い位置に設けるようにする。尚、高い位置にした場合の立体の底面部、又は、立体の底面を設けない場合の平地上を内下部としたものである。
要するに、各立体構造の利用において、普遍的の単数のもの、又は、普遍的の複数のもの、又は、特殊的の単数のみについて、立体の個々である一つが、立体の内外部とする、内部、内下部、或いは、外部に単数、又は、複数の遊具を設けることを特徴とする立体内外遊具である。【０００５】  多種多様な立体の単数のもの、複数のものの各立体の大小についての容積は、利用の仕方、使用用途の遊具によって、仕様に適応したものを多種多様に自由に選択できるものである。
平地上の立体の底面部は、設けても設けなくても、どちらでも良い。又、立体の底面部の位置が平地上より、高い位置に設置する場合でも、立体の形状にもよるが、底面部は、設けても設けなくても、どちらでも良い。及び、立体の底面は、平地上、又は、平地上より、高い４００ｃｍに設置とあるが、人的安全と立体内外遊具の安全の確保、確証があれば、４００ｃｍに止まらず、大きくできるものであり、この限りではないものである。が、範囲については、仕様用途などの安全性から変化、可変するものである。
日中の立体の内部について、明るさ調整用採光、覗き見のために耐久性の窓、防護窓を上部、側面に配置し、又、通風口・通風部のためにくり貫き窓・開口部を側面に設け、立体の内部に雨水が入らない工夫、極力施したものにする。
【発明の効果】
【０００６】  各立体が特有とするデザインにおいて、立体の内外部を介して、立体の形状、構造、表面上を活用、利用して、有用である多種多様的な遊具を自由自在に好循環での創出が生起する。言わば、立体と融合する、遊具文化の創出である。【０００７】  従来の遊具使用設置面積当たりに対して、遊具の数や質を高める格段の差と共に、多種多様な立体の形状、構造、表面上、大きさの立体内外部を利用した、内外部の遊具とする付加価値を創出する、運動遊具の形態が多種多様な運動要素を生起する、合理的に発掘させる有用なものである。【０００８】  立体の内部として、配置、活用する遊具について、トンネル、洞窟、又は雲梯梯子と探検穴を例に取ると、図中で１０のトンネルの構造遊具、１１の洞窟構造遊具、１５の雲梯梯子と探検穴構造遊具は、立体の内部に輪を掛けて設けるものものである。幻想的な中、ある種の冒険心と躍動感を醸し出して、探検穴を助長補短する。すると、立体の内部自体で使用される全体的な遊具にも、同一の環境空間での相乗効果を上げるものが生起するのである。又、内部のみだけでなく、外部との相互間の最短的で、立体の内外部を介して、異種類の遊具利用が可能である。すなわち、立体の内外部において、高いモチベーションで遊具を楽しむことが可能であり、高機能の遊具を提供できる。
ところで、立体を平地上より高くするのは、視界、採光を良くし、高い所に遊具を設けることで、モチベーション、興味を高め、運動能力にも繋がる。【０００９】  特殊的の構成で立体の単数のみは、立体の内部、内下部、或いは、外部に単数、又は、複数の遊具を有し、全天候で雨天時でも、内部、内下部において、全面的に単独での独自の遊具の使用が可能、又は、外部も遊具の配置範囲に応じて、網羅する、適宜に部分的、全面的の使用を可能とするものである。よって、特殊的とする単数の全天候は、雨天時でも内外部の全遊具の使用を可能とするものである。又、日よけとしても、効果的な活用性をするものである。【００１０】  本発明により立体内外遊具の各遊具全体の範囲で、多様な運動形態があり、運動能力に応じた的確な運動の動作・確認・修正ができ、運動の技量向上とパワーアップ、リカバリー・対処能力の練習、トレーニングなどを確立し、各自で体感できる。従来の遊具にはない、多種多様な運動要素が広範囲に様変わりして、リアリティーでタイムリーな各種運動系を体感すると共に、運動を楽しんで向上できる、オールラウンドの運動能力の習得に向けて、各運動形態の学習、トレーニング、遊技などを、高いモチベーションで持続を可能にする。【００１１】  立体内外部の性能効果が大きく奥深い構成要素を備えているので、本質的には、遊具の各種全体の範囲で、運動能力レベルにより、適合した遊具が多種多様に選定、練習でき、多様な運動形態をダイレクトに挑戦、体感でき、対応能力を効果的に習得することができ、運動形態が多様な組み合わせ構造に構成することから、広範囲なプレーを対象とした活用方法や運動学習が可能である。【００１２】  遊具全体の範囲で各運動要素に変化があり、多種多様な運動遊具を楽しむことで、自然的に対応の運動技術能力の発掘が可能、運動能力である運動動作のタイミング、バランス、リズム的などが体感でき、高いスキルのレベルアップでのトレーニングができ、身体能力の向上に効果的な威力を発揮できる。【００１３】  本発明により、自主的、主体的運動学習の活性化が図れ、他者に関係なくマイペースメニューで運動が可能であり、運動の力量、質ともに格段充実したものになり、各種運動パターンを習慣的に繰り返し練習することで、運動技術を習得し、運動能力を高める満足ある運動体制が確立できる。【００１４】  本発明の遊具は、運動負荷、運動環境を自然的に選び、運動の向上、体力の強化などを目的とした活用にも有用で楽しむことができ、運動の形態、能力、感覚により、運動の学習内容、課題や技術技能の達成レベルなどを各自に適合した運動調整が選択、自由な形でパフォーマンスができるため、主体的運動学習を効率的に成し遂げることが可能であり、多角的な各種遊具の利用ができる奥深いマテリアルを提供できる。【００１５】  本発明は、運動動作が自由自在に展開して、身体能力、バランス感覚、体幹強化の向上をするもので立体構造や遊具構成に対する躍動、挑戦、技術技量向上などの運動形態への意識改革ができ、運動環境の趣旨が屋外用と屋外用の全天候型であるが、屋内外の何れでも、使用用途が広く、適応性がある。
【発明を実施するための最良の形態】
【００１６】  図１は、立体の内部、内下部に使用する大要な各遊具の斜視図の概略図例であり、立体の内部、内下部に使用する大要な各遊具の構成、構造を図示したのみで、この限りではない。遊具の構成、構造がアグレッシブ、ディフェンシブなどのものを用い、動的、静的な運動動作で自由自在に活用、展開して、身体能力、バランス感覚、体幹強化の向上をするもので、立体構造や遊具構成に対する遊びの学習、挑戦、運動技術の技量向上などの運動形態への意識改革ができる運動要素、運動環境のものを提供し、立体内部に多種多様の遊具を多角的に安定化して、充実したものを導入するものである。【００１７】  図２は、普遍的で各立体の単数の外部に使用する遊具の斜視図の概略図例であり、立体の外部に使用する大要な各遊具の構成、構造を図示したのみで、この限りではない。個々の立体の外部では、２０で２Ａのみが直接的、間接的のどちらも併有した遊具。他の２Ｂ・２Ｃ・２Ｄは外部へ直接的に接する場合の遊具。２１で２Ｄ・２Ｆは外部へ直接的に接する場合の遊具。２Ｅは外部に接しない、間接的な場合の遊具。２Ａは直接的、間接的のどちらも併有した遊具。２２で２Ａ・２Ｇは直接的、間接的のどちらも併有した遊具。２３で２Ｈは外部に接しない、間接的な場合の遊具。２Ｄは直接的、間接的のどちらも併有した遊具。２４で２Ｄ・２Ｉは外部へ直接的に接する場合の遊具。２Ａは直接的、間接的のどちらも併有した遊具。と三通りのものが存在する。各立体の外部を利用し、遊具を設けたものである。２Ｇは立体外部遊歩道斜面、３つの斜面の各斜度、長さに変化を設けて配置する。
ブランコ２Ｅと立体の外部は、構造的には分離されているが、互いが一対の関係にある。つまり、立体の外部面に直接的に設けないで、立体外部に接しない状態での、立体を介してブランコの遊具を配置し、ブランコ遊具と立体上部との融合を駆使したものである。（因みに、同図２の２３で輪環体立体状の本体と立体外部湾曲型雲梯２Ｈの関係も同様で、外部に接しない、間接的な場合。）【００１８】  図３は、普遍的で各立体の複数の外部に使用する遊具と各立体との連携に使用する遊具の全体的な斜視図の概略図例であり、立体の外部に使用する大要な各遊具の構成、構造を図示したのみで、この限りではない。図面上で３０、３１、３２に立体配置されるが、その他で、形状、大きさ、配置、組合せ、仕様等を多様に工夫して使用することができる。例えば、図３は、各立体を一列的に並べたが、各立体を増減して、ジグザグや輪状的に配列することも可能であり、この限りではない。【００１９】  図４は、特殊的で全天候型の各立体の単数の外部に使用する遊具の俯瞰的な斜視図の概略図例であり、立体の外部に使用する大要な各遊具の構成、構造を図示したのみで、この限りではない。４０は斜円柱立体状の外部遊具、４１は開曲面立体状の外部遊具である。
全天候で雨天時でも、内部、内下部において、全面的に単独での独自の遊具の使用が可能、又は、外部も遊具の配置範囲に応じて、網羅する、適宜に部分的、全面的の使用を可能とするものである。よって、特殊的とする単数の全天候は、雨天時でも内外部の全遊具の使用を可能とするものである。及び、日よけとしても、効果的な活用性をするものである。
全周囲には、嵩上げ部と水捌け部を、同時に設け、内部への雨水の侵入防止ができるようにする。
図中の４Ｅは外部遊具のカバー部（斜めアーチ状ルーフ）、４Ｆは外部遊具のカバー部（変形アーチ状ルーフ）、４Ｂは立体外部凹凸曲面型遊歩道（ウェブ・スロープ）を示している。【００２０】  図５は、立体の底面部・上部、側面の概略斜視図例と立体の底面部が平地上・高い位置の概略断面図例で、立体内外遊具を安定できる支柱、支持具などを用い、組み合わせた構成、全体的に安全性を保持した構造物として設け、本発明で示した以外のその他遊具の構成、構造を用いることもでき、立体の建造物に関する使用物、仕様用途などの詳細については、この限りではない。
立体の底面は設ける、又は、設けないものにして、立体の底面部の位置は平地上に水平、又は、平地上に水平で平地上より、高い位置である５ｃｍ〜４００ｃｍの範囲で流動的に設置する。又、高い位置に設置する場合の立体は、基礎土台の各形状などの支え材料を用いて、高い位置に設けるようにする。尚、高い位置にした場合の立体の底面部、又は、立体の底面を設けない場合の平地上を内下部としたものである。
平地上の立体の底面部は、設けても設けなくても、どちらでも良い。又、立体の底面部の位置が平地上より、高い位置に設置する場合でも、立体の形状にもよるが、底面部は、設けても設けなくても、どちらでも良い。
日中の立体の内部について、明るさ調整用採光、覗き見のために耐久性の窓、防護窓を上部、側面に配置し、又、通風口・通風部のためにくり貫き窓・開口部を側面に設け、立体の内部に雨水が入らない工夫、極力施したものにする。【００２１】  本発明は、各運動遊具としての特化だけなく、全体的が一つの大きい運動立体構造的な要素の保有を堅持し、図１から図５は遊具に関する概略図例であり、本発明の特許請求の範囲を満足すれば、この限りではない。
【産業上の利用可能性】
【００２２】  本発明に係る立体内外遊具は、工業的に量産する事が可能であるため、産業上の利用可能性を有する。
【図面の簡単な説明】
【００２３】
【図１】  立体の内部、内下部に使用する大要な各遊具の斜視図の概略図例
【図２】  普遍的で各立体の単数の外部に使用する遊具の斜視図の概略図例
【図３】  普遍的で各立体の複数の外部に使用する遊具と各立体との連携に使用する遊具の全体的な斜視図の概略図例
【図４】  特殊的で全天候型の各立体の単数の外部に使用する遊具の俯瞰的な斜視図の概略図例
【図５】  立体の底面部・上部、側面の概略斜視図例と立体の底面部が平地上・高い位置の概略断面図例
【符号の説明】
【００２４】図中の文字、数字は次の通りである。
１０  ：トンネルの構造遊具          １１  ：洞窟構造遊具
１２  ：デコボコ・バランス遊具      １３  ：凹凸の曲面上遊具
１４  ：雲梯・定形遊具              １５  ：雲梯梯子と探検穴構造遊具
１６  ：円形広場と小山遊具          １７  ：木登り遊具
１８  ：雲梯・変形遊具              １９  ：平均台・一定型と段差型遊具
２０  ：半円錐台立体状の外部遊具    ２１  ：四角錐台状の外部遊具（三通り）
２２  ：放物面立体状の外部遊具      ２３  ：輪環体立体状の外部遊具
２４  ：放物面立体状の外部遊具
２Ａ  ：滑り台                      ２Ｂ  ：フリークライミング
２Ｃ  ：ロープクライミング          ２Ｄ  ：立体外部フリークライミング
２Ｅ  ：立体外部ブランコ            ２Ｆ  ：立体外部・上部の広場
２Ｇ  ：立体外部遊歩道斜面          ２Ｈ  ：立体外部湾曲型雲梯
２Ｉ  ：人工芝斜面                  ２Ｊ  ：階段型梯子
２Ｋ  ：階段                        ２Ｌ  ：出入口（大）
２Ｍ  ：出入口（中）                ２Ｎ  ：出入口（小）
２０  ：出入口（全面的・全周）      ２Ｐ  ：立体外部遊具の支え形状
２Ｑ  ：立体の高い基礎土台の形状    ２Ｒ  ：立体の高い基礎支えの柱型形状
３０  ：半円錐台立体状の外部遊具    ３１  ：双曲線放物面立体状の外部遊具
３２  ：双曲放物面立体状の外部遊具
３Ａ  ：立体外部滑り台
３Ｂ  ：立体外部湾曲型雲梯          ３Ｃ  ：立体外部フリークライミング
３Ｄ  ：立体外部フリークライミング  ３Ｅ  ：立体外部フリークライミング
３Ｆ  ：立体外部ロープクライミング  ３Ｇ  ：立体外部遊歩道
３Ｈ  ：立体外部網縄クライミング    ３Ｉ  ：立体外部滑り台
３Ｊ  ：階段型梯子                  ３Ｋ  ：立体間連携吊橋
３Ｌ  ：立体間連携歩道橋            ３Ｍ  ：出入口（大）
３Ｎ  ：出入口（中）                ３０  ：出入口（小）
４０  ：斜円柱立体状の外部遊具      ４１  ：開曲面立体状の外部遊具
４Ａ  ：立体外部滑り台              ４Ｂ  ：立体外部凹凸曲面型遊歩道
４Ｃ  ：階段型梯子                  ４Ｄ  ：階段
４Ｅ  ：外部遊具のカバー部          ４Ｆ  ：外部遊具のカバー部
４Ｇ  ：嵩上げ・水捌け部            ４Ｈ  ：出入口（大）
４Ｉ  ：出入口（中）                ４Ｊ  ：出入口（全面的・全周）
５０  ：円錐台立体状の外観          ５１  ：高い位置底面有の立体断面図
５２  ：高い位置底面無の立体断面図  ５３  ：高い位置底面有の立体断面図
５４  ：高い位置底面無の立体断面図  ５５  ：回転楕円体立体状の外観
５Ａ  ：立体の底面部の部分          ５Ｂ  ：立体の上・部・採光部
５Ｃ  ：立体の高い基礎土台の形状    ５Ｄ  ：立体の上部・採光部
５Ｅ  ：立体の枠の部分              ５Ｆ  ：立体の底面部の部分（有）
５Ｇ  ：立体の底面部の部分（無）    ５Ｈ  ：立体支え形状の柱型
５Ｉ  ：立体の内部の部分            ５Ｊ  ：立体の内下部の部分
５Ｋ  ：立体の外部の部分
【図１】
2020171651.tif 000003
【図２】
2020171651.tif 000004
【図３】
2020171651.tif 000005
【図４】
2020171651.tif 000006
【図５】
2020171651.tif 000007
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
多様な形状、大きさの立体が単数、もしくは、複数のものを利用して、各立体の内部、内下部、或いは、外部とする内外部に単数、又は、複数の遊具を有し、立体の出入口は部分的、全面的、一連的、断続的で単数、或いは、複数にし、又、立体によっては、上部、側面に採光部を設け、大きく分けて、立体が単数、又は、複数を有し、反全天候型（晴耕雨読的な構成要素の遊具）である普遍的に対して、立体が単数のみを有し、全天候型である特殊的の二つの用途のもがある。普遍的であるとする立体は、単数のもの、又は、複数のものを、構成にするものであり、単数のものは、各単数の各内外部に、少なくとも一つを含む遊具の保有をし、複数のものは、各複数の各内外部に、少なくとも一つを含む遊具の保有をし、且つ、各複数間での、各遊具との連携を保持するようにし、一方、特殊的の構成とする、立体の単数のみは、立体の内部、内下部、或いは、外部に単数、又は、複数の遊具を有し、全天候で雨天時でも、内部、内下部で全面的に遊具の使用が可能、又は、外部も遊具の配置範囲に応じて、網羅する、適宜に部分的、全面的の使用を可能とするものである。尚、全体的における、普遍的、特殊的で、いずれもの立体の内部の中は、遊具に関するものがある以外、空間の状態であり、並びに、普遍的とする立体の単数、複数、或いは、特殊的とする立体の単数、全てに対して、個々の同一立体での内部、内下部と外部では、異種類の遊具を配置、活用し、立体の内外部を介して、内部、内下部、又は、外部に、単数、もしくは、複数とする、自由自在な遊具の創出を促すことによって、言い換えれば、立体を介して、立体内部の遊具と立体外部の遊具を、二分の完全に区別化し、立体の内部の遊具と外部の遊具においては、異種類の遊具を多種多様の二極分化に配置構成とするものであるが、全体の利用方法は、立体内外部の遊具を自由で円滑に多種多様的が一体した活用を容易にできるようにし、立体内外部で異種類の遊具の配置構成を分立した、相対する立体内外部の遊具の相互によって、柔軟な融合利用と各種運動形態の創出を促すものである。これらは、遊具を多種多様に設け、遊具の量、質、設置内容と利用方法を効果的にする。及び、別に、普遍的のみの適応するものとして、個々の立体の外部では、外部へ直接的に接する場合の遊具、外部に接しない、間接的な場合の遊具、又は、直接的、間接的のどちらも併有した、三通りの構成とする、外部を介して遊具の配置がある。個々の立体の内外部である内部、内下部、又は、外部に、少なくとも一つを含む遊具の保有をし、立体の底面は設ける、又は、設けないものにして、立体の底面部の位置は平地上、又は、平地上より、高い５ｃｍ〜４００ｃｍの範囲で流動的に設置し、高い位置にした場合の立体の底面部、又は、立体の底面を設けない場合の平地上の、どちらもが内下部とするものであり、高い位置への立体は、基礎土台の各形状を用いて設けるようにする、要するに、各立体構造、普遍的の単数のもの、又は、複数のもの、又は、特殊的の単数のみでの、個々の立体の内外部とする、内部、内下部、或いは、外部に単数、又は、複数の遊具を設け、全体的として、各立体の個々の内部と外部において、異種類の遊具の配置構成を分立、又は、配分して、遊具活用する確立をした、ことを特徴とする立体内外遊具。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
複数の遊具を配置する複合体であって、空洞を形成する立体の内部と外部に、それぞれ異なる遊具を配置することを特徴とする遊具複合体。
【手続補正３】
【補正対象書類名】明細書
【補正対象項目名】０００４
【補正方法】変更
【補正の内容】
【０００４】  この課題を解決するための請求項１の発明は、多様な形状、大きさの立体が単数、もしくは、複数のものを利用して、各立体の内部、内下部、或いは、外部とする内外部に単数、又は、複数の遊具を有するものである。立体の出入口は部分的、全面的、一連的、断続的で単数、或いは、複数で設ける。又、立体によっては、上部、上面、側面に採光部と同時に、立体の内部を覗き見ができる領域部、側面には通風口を配置することも可能である。普遍的であるとする立体は、単数のもの、又は、複数のものを、構成にするものであり、単数のものは、各単数の各内外部に、少なくとも一つを含む遊具の保有をし、複数のものは、各複数の各内外部に、少なくとも一つを含む遊具の保有をして、且つ、各複数間での、各遊具との連携を保持するようにしたものを有している。
一方、特殊的の構成であるとする、立体の単数のみについては、立体の内部、内下部、或いは、外部に単数、又は、複数の遊具を有し、全天候で雨天時でも、内部、内下部において、全面的に単独での独自の遊具の使用が可能、又は、外部も遊具の配置範囲に応じて、網羅する、適宜に部分的、全面的の使用を可能とするものである。よって、特殊的とする単数の全天候は、雨天時でも内外部の全遊具の使用を可能とするものである。及び、日よけとしても、効果的な活用性をするものである。
全周囲には、嵩上げ部と水捌け部を、同時に設け、内部への雨水の侵入防止ができるようにする。
雨天時の屋外、野外での大型遊具を使用することも可能である。
因みに、全体的である多様な立体としては、全体が規則的、又は不規則的で三次元構造の楕円体、回転楕円体、球体、柱体、円柱、斜円柱（斜円柱のペンネ）、円錐、双円錐、錐台、円錐台、角錐台、立方体、トーラス体、曲面、放物面、双曲面、多面体などの立体全般的に用いることができるものである。
前記の、定形立体を適当な形にした、変形立体の自由な発想で活用することも可能である。
並びに、全体的における、いずれもの立体の内部の中は、遊具に関係、関連するものがある以外、空間の状態である。並びに、普遍的とする立体の単数、複数、或いは、特殊的とする立体の単数、全てに対して、個々の同一立体での内部、内下部と外部では、異種類の遊具を配置、活用し、立体の内外部を介して、内部、内下部、又は、外部に、単数、もしくは、複数とする、自由自在な遊具の創出を促すことによって、合理的で効果的な、遊具が多種多様に作り出されるようにするものである。すると、有用を可能とする好循環が生起するものである。
及び、個々の立体の外部では、外部へ直接的に接する場合の遊具、外部に接しない、間接的な場合の遊具、又は、直接的、間接的のどちらも併有した、三通りのものが存在する。外部を介して遊具の配置があり、個々の立体の内外部である内部、内下部、又は、外部に、少なくとも一つを含む遊具の保有をする。
ところで、立体の底面は設ける、又は、設けないものにして、立体の底面部の位置は平地上に水平、又は、平地上に水平で平地上より、高い位置である５ｃｍ〜４００ｃｍの範囲で流動的に設置する。５ｃｍ〜４００ｃｍの範囲にしているが、安全性の保障が確保できれば、この限りではない。又、高い位置に設置する場合の立体は、基礎土台の各形状などの支え材料を用いて、高い位置に設けるようにする。尚、高い位置にした場合の立体の底面部、又は、立体の底面を設けない場合の平地上を内下部としたものである。
要するに、各立体構造の利用において、普遍的の単数のもの、又は、普遍的の複数のもの、又は、特殊的の単数のみについて、立体の個々である一つが、立体の内外部とする、内部、内下部、或いは、外部に単数、又は、複数の遊具を設けることを特徴とする遊具複合体である。
【手続補正４】
【補正対象書類名】明細書
【補正対象項目名】００２２
【補正方法】変更
【補正の内容】
【００２２】  本発明に係る遊具複合体は、工業的に量産する事が可能であるため、産業上の利用可能性を有する。